(57)【要約】【課題】受け金具への装着及び取り外しが容易で、しかも受け金具に楔部を入れると自動的にストッパーが働き、作業時の騒音も発生しない足場材の楔連結金具を提供する。【解決手段】連結部材１１が嵌入して固着される環状連結部１５と、環状連結部１５と一体となった楔部１６と、楔部１６内に回動可能に配置されて受け金具１３内に楔部１６を装着した場合に、受け金具１３の下端１７から外側に突出可能なストッパー手段１８とを備え、しかも、ストッパー手段１８は、楔部１６の左右の側壁２１に回動自在に取付けられた金具本体部３６と、金具本体部３６の先部に固着されて、その上端部が受け金具１３の下端１７に当接可能な掛止部３７を有する止め板材３３と、回動可能に楔部１６に取付けられた金具本体部３６を前側方向に付勢するスプリング３８とを有し、止め板材３３の下側にはストッパー手段１８を楔部１６内に押し込む指当て部３４が設けられている。【選択図】図１
2010222946.tif 000002
【特許請求の範囲】
【請求項１】
管材又は棒材からなる連結部材の端部に設けられ、仮設足場に垂直に配置される垂直材に設けられた平断面コ字状で、下方に前後方向の幅が狭くなる受け金具に装着される足場材の楔連結金具であって、
前記連結部材が嵌入して固着される環状連結部と、該環状連結部と一体となった楔部と、該楔部内に回動可能に配置されて前記受け金具内に前記楔部を装着した場合に、前記受け金具の下端から外側に突出可能なストッパー手段とを備え、
しかも、前記ストッパー手段は、前記楔部の左右の側壁に回動自在に取付けられた金具本体部と、該金具本体部の先部に固着されて、その上端部が前記受け金具の下端に当接可能な掛止部を有する止め板材と、回動可能に前記楔部に取付けられた前記金具本体部を前側方向に付勢するスプリングとを有し、前記止め板材の下側には該ストッパー手段を前記楔部内に押し込む指当て部が設けられていることを特徴とする足場材の楔連結金具。
【請求項２】
請求項１記載の足場材の楔連結金具において、前記環状連結部と前記楔部は一枚の板材をプレス加工して形成され、前記受け金具に装着時に前記垂直材に当接する後板部と、該後板部の周囲に折り曲げ状態で連結され、上部は前記環状連結部の一部を構成し、中間部及び下部は前記楔部の一部を構成する側壁とを有することを特徴とする足場材の楔連結金具。
【請求項３】
請求項１及び２のいずれか１記載の足場材の楔連結金具において、前記止め板材はＳ字曲げされて、前記掛止部より前記指当て部が後側に配置されることを特徴とする足場材の楔連結金具。
【発明の詳細な説明】
【技術分野】
【０００１】
本発明は、建設現場等で仮設足場として用いられる足場材（仮柱、水平部材、水平つなぎ材、布枠）の楔連結金具に関する。
【背景技術】
【０００２】
垂直に立設されている鋼管柱と、水平に配置される鋼管材を連結して仮設足場を構築することが一般に行われている。例えば、特許文献１には、垂直に立設される柱の鋼管柱の周囲に下方に徐々に縮幅する孔を有する受け金具を設け、水平材の端部に受け金具に上から挿入するテーパ状の装着金具（楔金具）を備えた足場部材連結装置が提案されている。
特許文献１記載の足場部材連結装置の受け金具は、横断面が三角形状となっているが、近年は例えば特許文献２に記載の支柱側連結金具のように、横断面をコ字状として下方にテーパーを形成した受け金具も提案されている。
【先行技術文献】
【特許文献】
【０００３】
【特許文献１】実開平７−４６８３号公報
【特許文献２】実用新案登録第３１４３３３９号公報
【発明の概要】
【発明が解決しようとする課題】
【０００４】
しかしながら、特許文献１記載の足場部材連結装置においては、受け金具に装着する装着金具（枠体と楔体を有する）の構造が複雑で、取付け取り外しにハンマー等の工具を必要とし、しかも、楔体をハンマー等て叩き過ぎると、受け金具が変形する等の問題があった。また、ハンマー等で楔体を叩くと騒音が発生し、近所の迷惑となり、更には作業時間が制限されるという問題もあった。
また、特許文献２記載の受け金具に装着する楔金具は、装着及び取り外し作業には問題はないが、楔金具にストッパー等が設けられていないので、場合によっては楔金具が受け金具から容易に外れる場合があるという問題があった。
【０００５】
本発明は、かかる事情に鑑みてなされたもので、受け金具への装着及び受け金具からの取り外しが容易で、しかも受け金具に楔部を入れると自動的にストッパーが働き、作業時の騒音も発生しない足場材の楔連結金具を提供することを目的とする。
【課題を解決するための手段】
【０００６】
前記目的に沿う第１の発明に係る足場材の楔連結金具は、管材又は棒材からなる連結部材の端部に設けられ、仮設足場に垂直に配置される垂直材に設けられた平断面コ字状で、下方に前後方向の幅が狭くなる受け金具に装着される足場材の楔連結金具であって、
前記連結部材が嵌入して固着される環状連結部と、該環状連結部と一体となった楔部と、該楔部内に回動可能に配置されて前記受け金具内に前記楔部を装着した場合に、前記受け金具の下端から外側に突出可能なストッパー手段とを備え、
しかも、前記ストッパー手段は、前記楔部の左右の側壁に回動自在に取付けられた金具本体部と、該金具本体部の先部に固着されて、その上端部が前記受け金具の下端に当接可能な掛止部を有する止め板材と、回動可能に前記楔部に取付けられた前記金具本体部を前側方向に付勢するスプリングとを有し、前記止め板材の下側には該ストッパー手段を前記楔部内に押し込む指当て部が設けられている。
【０００７】
また、第２の発明に係る足場材の楔連結金具は、第１の発明に係る足場材の楔連結金具において、前記環状連結部と前記楔部は一枚の板材をプレス加工して形成され、前記受け金具に装着時に前記垂直材に当接する後板部と、該後板部の周囲に折り曲げ状態で連結され、上部は前記環状連結部の一部を構成し、中間部及び下部は前記楔部の一部を構成する側壁とを有する。
【０００８】
そして、第３の発明に係る足場材の楔連結金具は、第１、第２の発明に係る足場材の楔連結金具において、、前記止め板材はＳ字曲げされて、前記掛止部より前記指当て部が後側に配置される。
【発明の効果】
【０００９】
第１〜第３の発明に係る足場材の楔連結金具は、楔部が受け金具に装着された場合の、楔部を保持するストッパー手段は、楔部の左右の側壁に回動自在に取付けられた金具本体部と、金具本体部の先部に固着されて、その上端部が受け金具の下端に当接可能な掛止部を有する止め板材と、回動可能に楔部に取付けられた金具本体部を前側方向に付勢するスプリングとを有しているので、楔部を受け金具に挿入すると、途中ではストッパー手段が後退し、受け金具に楔部が嵌入し終わった段階で、ストッパー手段が突出し、受け金具の下端に止め板材の上端部が当接する。これによって、受け金具に楔部が完全にロックされるので、特別にハンマー等で叩き込むことなく、楔部を受け金具に装着できる。
【００１０】
また、楔部を受け金具から外す場合は、指当て部を押すことによって、ストッパー手段を後退させ、受け金具から掛止部を外すことができ、容易に楔部を受け金具から外すことができる。
【００１１】
第２の発明に係る足場材の楔連結金具においては、環状連結部と楔部は一枚の板材をプレス加工して形成され、受け金具に装着時に垂直材に当接する後板部と、後板部の周囲に折り曲げ状態で連結される側壁とを有し、この側壁は、上部が環状連結部の一部を構成し、中間部及び下部が楔部の一部を構成しているので、安価に製造できる。
【００１２】
そして、第３の発明に係る足場材の楔連結金具においては、止め板材がＳ字曲げ（角形Ｓ字曲げ）されて、掛止部より指当て部が後側に配置されているので、楔部を受け金具に挿入する場合に円滑に嵌入する。
【図面の簡単な説明】
【００１３】
【図１】本発明の一実施の形態に係る足場材の楔連結金具の側面図である。
【図２】同足場材の楔連結金具の平面図である。
【図３】同足場材の楔連結金具の正面図である。
【図４】同足場材の楔連結金具の使用状態を示す側面図である。
【発明を実施するための形態】
【００１４】
図１〜図４に示すように、本発明の一実施の形態に係る足場材の楔連結金具１０は、水平配置された連結部材の一例である管材１１（又は棒材）の端部に溶接取付けされ、仮設足場に垂直に配置される垂直材の一例である管柱１２に設けられた平断面コ字状で、下方に前後方向の幅が狭くなる受け金具１３に装着されて使用される。そして、この足場材の楔連結金具１０は、管材１１の端部が嵌入して固着される環状連結部１５と、環状連結部１５と一体となった楔部１６と、楔部１６内に回動可能に配置されて受け金具１３内に楔部１６を装着した場合に、受け金具１３の下端１７から外側に突出可能なストッパー手段１８とを備えている。
【００１５】
環状連結部１５と楔部１６は一枚の板材をプレス加工して形成され、受け金具１３に装着時に管柱１２に当接する後板部２０と後板部２０の周囲に折り曲げ状態で連結され、上部は環状連結部１５の一部を構成し、中間部及び下部は楔部１６の一部を構成する側壁２１とを有している。
【００１６】
後板部２０の後側の縦中央には管柱１２の外側一部が嵌入する凹溝２２が設けられ、環状連結部１５の中央には上下に長い抜き孔２３が設けられている。
平均して下方に前後方向の幅が狭くなる楔部１６は、後板部２０の両側にある側壁２１の高さを調整して構成され、この実施の形態では、楔部１６の左右両側の側壁２１に同じように形成された４つ（複数）の円弧状切欠き２５〜２８を繋いで形成され、隣り合う円弧状切欠き２５〜２８の連結部２９〜３１（複数ある）の高さを徐々に小さくして、下方に狭まる楔を形成している。
【００１７】
なお、この楔の角度は、受け金具１３の前側に形成されている傾斜板１３ａの傾斜角度に一致している。そして、最下段に位置する円弧状切欠き２８は楔部１６の下側の側壁２１に深く形成され、ストッパー手段１８の止め板材３３の下部の指当て部３４が後退時に十分に深く嵌入できるようになっている。
【００１８】
ストッパー手段１８は、楔部１６の左右の平行配置された側壁２１にピン３５を介して回動自在に取付けられた金具本体部３６と、金具本体部３６の先部に固着されて、その上端部が受け金具１３の下端１７に当接可能な掛止部３７を有する止め板材３３と、回動可能に楔部１６に取付けられた金具本体部３６を前側方向に付勢する板状のスプリング３８とを有している。そして、止め板材３３の下側にはこのストッパー手段１８を楔部１６内に押し込み、止め板材３３が受け金具１３の下端１７に掛止しているのを解除する指当て部３４が設けられている。
【００１９】
金具本体部３６は前述のように、その上部が後板部２０の両側にある側壁２１の上下方向中間位置にあるピン３５により回動自在に取付けられている。そして、金具本体部３６は後側が開放となって下方の溝の深さが浅くなる溝形状に形成され、全体が後板部２０の周囲にある側板２１によって囲まれる空間４０内に収まるように、その全長及び幅が決定されている。
【００２０】
ピン３５より下位置で、金具本体部３６の後方には溝内に嵌入するようにＵ字状のスプリング３８が配置されている。このスプリング３８の一端は、後板部２０に固着されている。金具本体部３６の下部に固着されている止め板材３３はＳ字曲げ（詳細にはＳ字状に直角曲げ）されて、板状の掛止部３７と、これに続く段差部４１と、段差部４１に続く指当て部３４とを有している。そして、掛止部３７が金具本体部３６の下部に固定されている。なお、掛止部３７より指当て部３４が後方位置に配置されている。
【００２１】
段差部４１及びこれに続く指当て部３４は下部にある側壁２１より下側にあって、指当て部３４をより深く、即ち、金具本体部３６の回動角度を大きくして、ストッパー手段１８を押し込み、確実に掛止部３７の上端が受け金具１３の下端１７から外れるようになっている。
【００２２】
続いて、図１〜図４を参照しながら、この足場材の楔連結金具１０の使用方法及び作用について説明する。
足場材の楔連結金具１０の環状連結部１５に管材１１を挿入し、周囲を溶接する。この場合、補強用に図４に示す補強板４２を同時に溶接してもよい。なお、使用する管材１１の両側にこの足場材の楔連結金具１０を固定することになる。
【００２３】
使用にあっては、楔部１６を管柱１２の側部に設けられている受け金具１３に挿入する。楔部１６は、ストッパー手段１８が突出した状態での前後方向幅ｄが、受け金具１３の上端部の内幅ｇと同一又は僅少の範囲（例えば、０．１〜１ｍｍ）で小さくなっているので、支障なく嵌入する。楔部１６が受け金具１３内に嵌入すると、スプリング３８で付勢された金具本体部３６が開き、掛止部３７の上端が受け金具１３の下端１７に当接し、楔部１６の抜けが防止される。
【００２４】
楔部１６を受け金具１３から外す場合には、指当て部３４を押すと、金具本体部３６の傾斜角度が小さくなって、掛止部３７の上端が受け金具１３の下端１７から外れ、ロックが解除されるので、楔部１６を受け金具１３から抜くことができる。
【００２５】
前記実施の形態においては、具体的形状及び数値を用いて本発明を説明したが、本発明の要旨を変更しない範囲で形状変更、数値変更は可能である。
また、本実施の形態に係る足場材の楔連結金具１０は、炭素鋼を用いて形成されているが、例えば、高張力鋼、ステンレス鋼、アルミ材等で構成することもできる。
【符号の説明】
【００２６】
１０：足場材の楔連結金具、１１：管材、１２：管柱、１３：受け金具、１３ａ：傾斜板、１５：環状連結部、１６：楔部、１７：下端、１８：ストッパー手段、２０：後板部、２１：側壁、２２：凹溝、２３：抜き孔、２５〜２８：円弧状切欠き、２９〜３１：連結部、３３：止め板材、３４：指当て部、３５：ピン、３６：金具本体部、３７：掛止部、３８：スプリング、４０：空間、４１：段差部、４２：補強板
【図１】
2010222946.tif 000003
【図２】
2010222946.tif 000004
【図３】
2010222946.tif 000005
【図４】
2010222946.tif 000006